(57)【要約】      （修正有）【課題】持ち運びやすく、使いやすいコインケースを提供する。【解決手段】数種のコインを、直径方向に１列で収容できる六面体の箱をシート状の素材で作り、正面を切り取って口２とし、両側面と後面の境界線を切断したうえで、口２の形が横長の６角形を呈するように両側面と後面に山折りの折り込みをつけて、高さ方向の伸縮性を高めたマチ付き袋構造とし、底面に口２用の蓋１を加工し、上面に、収容したコインを指先で動かすための窓３を設ける。【選択図】図１
0003170622.tif 000002
【実用新案登録請求の範囲】
【請求項１】
数種のコインを、直径方向に１列で収容できる六面体の箱をシート状の素材で作り、正面を切り取って口とし、両側面と後面の境界線を切断したうえで、口の形が横長の６角形を呈するように両側面と後面に山折りの折り込みをつけて、高さ方向の伸縮性を高めたマチ付き袋構造とし、底面に口用の蓋を加工し、上面に、収容したコインを指先で動かすための窓を設けたコインケース。
【請求項２】
請求項１記載のコインケース２個を背中合わせに結合した前後二面型コインケース。   
【請求項３】
請求項１記載のコインケース２個を横並びに結合した並列二面型コインケース。
【請求項４】
請求項２記載のコインケースを３個横並びに結合した二面型９９９円コインケース。
【考案の詳細な説明】
【技術分野】
【０００１】
本考案はコインケース（硬貨を収容する容器）に関するものである。
【背景技術】
【０００２】
従来のコインケース（小銭入れと呼ぶものを含む）はコインの種別を考慮せず袋状の容器に雑然と収納するものや、コインを種別に分類し種別ごとに筒状に積み重ねて収納するものがほとんどである。なかには特許文献1のようにコインを平面的に並べて収納するものもあるが、使用方法がやや限定的であった。
【先行技術文献】
【特許文献】
【０００３】
【特許文献１】特開２０１０−２６８８７０
【考案の概要】
【考案が解決しようとする課題】
【０００４】
従来のコインケースは、構造的な制約（外形寸法、構造上の硬さ）から、二つ折り財布や小銭入れあるいはカードケースに収納して持ち運ぶことが難しかった。この構造的な制約を緩和して、持ち運びの便と使いやすさを実現することが、本考案の解決すべき課題であった。
【課題を解決するための手段】
【０００５】
そこで本考案では、数種のコインを、直径方向に１列で収容できる六面体の箱をシート状の素材で作り、正面を切り取って口とし、両側面と後面の境界線を切断したうえで、口の形が横長の６角形を呈するように両側面と後面に山折りの折り込みをつけて、高さ方向の伸縮性を高めたマチ付き袋構造とし、底面に口用の蓋を加工し、上面に、収容したコインを指先で動かすための窓を設けたコインケースとし、課題を解決している。
【０００６】
「５円込み９円」とは、1円コイン４枚と５円コイン１枚の組み合わせによる９円のことを意味し、「５０円込み９０円」とは、１０円コイン４枚と５０円コイン１枚の組み合わせによる９０円のことを意味し、「５００円込み９００円」とは、１００円コイン４枚と５００円コイン１枚の組み合わせによる９００円のことを意味している。
【０００７】
９９９円のコインを携帯するときはこのコインケースが３個必要となる。ただし個々の外形はハンドバッグや服のポケットに収まる程度に小さいので持ち運びの便と使いやすさを十分に提供する。
【０００８】
また、他の考案にかかる「前後二面型コインケース」は上記コインケースを、前後の両面合わせて、５円込み９円、５０円込み９０円または５００円込み９００円のいずれかの組みのコインを収容するようにしたコインケースである。
【０００９】
９９９円のコインを携帯するときはこのコインケースが３個必要となる。ただし個々の外形はカードケースに収まる程度に小さいので持ち運びの便と使いやすさを十分に提供する。
【００１０】
また、他の考案にかかる「並列二面型コインケース」は上記コインケースを、左右の両面合わせて、５円込み９円、５０円込み９０円または５００円込み９００円のいずれかの組みのコインを収容するようにしたコインケースである。
【００１１】
９９９円のコインを携帯するときはこのコインケースが３個必要となる。ただし個々の外形はカードケースに収まる程度に薄いので持ち運びの便と使いやすさを十分に提供する。
【００１２】
また、他の考案にかかる「９９９円コインケース」は上記「前後二面型コインケース」を３個横に並べて一体化したもので、５円込み９円、５０円込み９０円および５００円込み９００円をすべて収容することができる。外形的には二つ折り財布に収まる程度であるので、良好な携帯性をもっている。
【考案の効果】
【００１３】
本考案により、持ち運びの便と使いやすさを備えたコインケースを実現することができる。
【図面の簡単な説明】
【００１４】
【図１】本考案にかかるコインケースの組立図
【図２】本考案にかかるコインケースの展開図
【図３】本考案にかかる前後二面型コインケースの組立図
【図４】本考案にかかる並列二面型コインケースの組立図
【図５】本考案にかかる二面型９９９円コインケースの組立図
【図６】本考案にかかる一面型９９９円コインケースの組立図
【考案を実施するための形態】
【００１５】
以下、本考案の実施の形態を図1から図６に基づいて説明する。
図1は本考案にかかるコインケースの形状を示している。図1のコインケースを製作する一つの方法として、図２に示す展開図を用いて、弾力性のあるシート（プラスチック、紙などの材質のシート）を切断し折り曲げ接合する方法がある。
【００１６】
この場合、５００円込み９００円を収容できる寸法の構造を採用することで、５円込み９円および５０円込み９０円用にも適用することができる
【００１７】
コインケースの使用方法は蓋１を開けて、出し入れ用の口２からコインを奥方向へ向けて滑り込ませて収納し、蓋１を口２にかぶせて持ち運ぶ。また、蓋１を開きコインを滑らせて取り出す。出し入れに際しては窓３から指先などでコインを滑らせて、確実な出し入れを実施できる。
【００１８】
コインを収容して持ち運ぶときは、コインがこぼれ落ちないように蓋１を閉じておく。
蓋１を閉じた場合の蓋止めの方法としては、蓋１とケース上面との合わせ目に粘着剤を塗布しておく、面ファスナーを取り付けておく、あるいはホックを取り付けておくなどがある。
【００１９】
図３は、図１に示したコインケースを背中合わせに２個結合した「前後二面型コインケース」を示している。この場合、コインケースの長さは６割程度に短縮される。
【００２０】
このケースに５円込み９円、５０円込み９０円または５００円込み９００円のいずれかの組みのコインを収容する場合、各組において５個のコインを前面と後面に振り分ける必要があるが、３個と２個に分けるのが無難な解となる。
【００２１】
一例として、５００円込み９００円を収容する場合、前面に１００円コインを３個、裏面に１００円コイン１個と５００円コイン１個の２個、のように振り分ける方法が考えられ、コインケースの長さが決定する。
【００２２】
この場合、５００円込み９００円を収容できる寸法の構造を採用することで、５円込み９円および５０円込み９０円用にも適用することができる。
【００２３】
図４は、図１に示したコインケースを横並びに２個結合した「並列二面型コインケース」を示している。この場合、コインケースの長さは６割程度に短縮される。
【００２４】
この場合も５円込み９円、５０円込み９０円または５００円込み９００円のいずれかの組みのコインを収容する場合、各組において５個のコインを左面と右面にそれぞれ３個と２個に振り分けるのが妥当である。
【００２５】
図５は、図２に示した「前後二面型コインケース」を３個横並びに台紙４を介して結合した「二面型９９９円コインケース」を示している。
【００２６】
合計３組で６個のケースに５円込み９円、１０円込み９０円または５００円込み９００円を上記図３の説明で述べたことに準じて、分類し収容することができる。
【００２７】
このコインケースの形状寸法は、二つ折り財布に収容して携帯するのに適している。
【００２８】
図６は、図１に示した「コインケース」を６個横並びに台紙５を介して結合した「一面型９９９円コインケース」を示している。
【００２９】
このコインケースの平面寸法は紙幣の寸法に近いので、札入れに収容して携帯するのに適している。
【符号の説明】
【００３０】
１ 蓋
２ 口
３ 窓
４ 台紙
５ 台紙
【図１】
0003170622.tif 000003
【図２】
0003170622.tif 000004
【図３】
0003170622.tif 000005
【図４】
0003170622.tif 000006
【図５】
0003170622.tif 000007
【図６】
0003170622.tif 000008